(57)【特許請求の範囲】
【請求項１】
表面と裏面とを含み、透明状態と不透明状態とを有する調光シートと、
前記裏面と対向する透明反射層と、を備え、
前記表面は、前記不透明状態において投影機から光を当てられる面であり、
前記表面に向けた可視域の光に対するスクリーンの拡散反射率の平均値が１０％以上２０％未満である状態を前記不透明状態に含む
スクリーン。
【請求項２】
表面と裏面とを含み、透明状態と不透明状態とを有する調光シートと、
前記裏面と対向する透明反射層と、を備え、
前記表面に向けた４３０ｎｍ以上７００ｎｍ以下の各波長を有する光の全てに対するスクリーンの拡散反射率が１０％以上２０％未満である状態を前記不透明状態に含む
スクリーン。
【請求項３】
前記スクリーンは、ＪＩＳ  Ｋ  ７１３６：２０００に準拠したヘイズが９８％以上であり、かつ、クラリティが４２％以下である状態を前記不透明状態に含み、
前記クラリティは、前記スクリーンを透過した光のなかで、前記スクリーンに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される
１００×（ｌＣ−ｌＲ）／（ｌＣ＋ｌＲ）  …  式（１）
請求項１または２に記載のスクリーン。
【請求項４】
前記スクリーンは、ヘイズが１２．８％以下であり、かつ、平行光線透過率が４２％以上である状態を前記透明状態に含む
請求項１から３のいずれか一項に記載のスクリーン。
【請求項５】
前記透明反射層において、ＪＩＳ  Ａ  ５７５９：２０１６に準拠した日射反射率が２０％以上４５％未満である
請求項１から４のいずれか一項に記載のスクリーン。
【請求項６】
前記透明反射層において、ＪＩＳ  Ａ  ５７５９：２０１６に準拠した可視光透過率が５０％以上である
請求項１から５のいずれか一項に記載のスクリーン。
【請求項７】
前記調光シートは、液晶組成物を含む調光層を有し、
前記スクリーンは、紫外線カット層をさらに備える
請求項１から６のいずれか一項に記載のスクリーン。
【請求項８】
前記紫外線カット層において、３８０ｎｍ未満の波長を有する光の最大透過率が１％以下である
請求項７に記載のスクリーン。
【発明の詳細な説明】
【技術分野】
【０００１】
本発明は、調光シートを備えるスクリーンに関する。
【背景技術】
【０００２】
調光シートと透明反射層とを備えるスクリーンは、映像が投影される不透明状態と、映像が投影されない透明状態とを有する。透明状態のスクリーンは、スクリーンによって隔てられた２つの空間があたかも連続している空間であるかのように観察者に視認させる。これに対して、不透明状態のスクリーンは、透明反射層における反射によって、スクリーンに投影された光の反射率を高める。これによって、スクリーンは、スクリーンに対して投影光の反射側に位置する観察者に輝度の高められた映像を提供する（例えば、特許文献１を参照）。
【先行技術文献】
【特許文献】
【０００３】
【特許文献１】特開２０１６−１０９９５３号公報
【発明の概要】
【発明が解決しようとする課題】
【０００４】
ところで、上述したスクリーンには、スクリーンの用途が拡張されることに伴って、スクリーンに投影された光と、スクリーンの周囲とのコントラストがつきやすい暗所での使用に加えて、スクリーンに対して外光が多く入り込むような明所での使用も求められている。この点で、特許文献１に記載のスクリーンでは、スクリーンに投影された光の反射率を高めるべく、可視光に対する拡散反射率が２０％以上という高い値であるために、スクリーンにおいて外光が反射されることに起因するぎらつきによって、観察者が眩しいと感じるという新たな課題が招来している。
【０００５】
本発明は、外光の反射によるスクリーンのぎらつきを抑制可能としたスクリーンを提供することを目的とする。
【課題を解決するための手段】
【０００６】
上記課題を解決するためのスクリーンは、表面と裏面とを含み、透明状態と不透明状態とを有する調光シートと、前記裏面と対向する透明反射層と、を備え、前記表面は、前記不透明状態において投影機から光を当てられる面であり、前記表面に向けた可視域の光に対するスクリーンの拡散反射率の平均値が１０％以上２０％未満である状態を前記不透明状態に含む。
【０００７】
上記構成によれば、拡散反射率の平均値が１０％以上であることによって、スクリーンに投影される映像の鮮明性を維持しつつ、拡散反射率の平均値が２０％未満であることによって、スクリーンに向けた外光の反射によるスクリーンのぎらつきを抑えることが可能である。
【０００８】
上記課題を解決するためのスクリーンは、表面と裏面とを含み、透明状態と不透明状態とを有する調光シートと、前記裏面と対向する透明反射層と、を備え、前記表面に向けた４３０ｎｍ以上７００ｎｍ以下の各波長を有する光の全てに対するスクリーンの拡散反射率が１０％以上２０％未満である状態を前記不透明状態に含む。
【０００９】
上記構成によれば、比視感度の値が極大値を含む波長の範囲において、全波長の光に対するスクリーンの拡散反射率が１０％以上２０％未満である。そのため、拡散反射率が１０％以上であることによって、スクリーンに投影される映像の鮮明性を維持しつつ、拡散反射率が２０％未満であることによって、スクリーンに向けた外光の反射によるスクリーンのぎらつきを抑えることが可能である。
【００１０】
上記スクリーンにおいて、前記スクリーンは、ＪＩＳ  Ｋ  ７１３６：２０００に準拠したヘイズが９８％以上であり、かつ、クラリティが４２％以下である状態を前記不透明状態に含み、前記クラリティは、前記スクリーンを透過した光のなかで、前記スクリーンに入射した平行光の光軸に対して直進する直進光の光量を光量ｌＣとし、前記平行光の前記光軸に対する角度が±２．５°以内である狭角散乱光の光量を光量ｌＲとするときに、以下の式（１）によって算出される。
１００×（ｌＣ−ｌＲ）／（ｌＣ＋ｌＲ）  …  式（１）
【００１１】
上記構成によれば、スクリーンが不透明状態であるときのヘイズが９８％以上であり、クラリティが４２％以下であるため、スクリーンに投影された映像の鮮明性がさらに高められる。
【００１２】
上記スクリーンにおいて、前記スクリーンは、ヘイズが１２．８％以下であり、かつ、平行光線透過率が４２％以上である状態を前記透明状態に含んでもよい。この構成によれば、スクリーンが透明状態であるときのヘイズが１２．８％以下であり、平行光線透過率が４２％以上であるため、スクリーンが透明状態であるときのスクリーンの透明性が高められる。
【００１３】
上記スクリーンでは、前記透明反射層において、ＪＩＳ  Ａ  ５７５９：２０１６に準拠した日射反射率が２０％以上４５％未満であってもよい。この構成によれば、スクリーンに投影する映像以外の像の映り込み、および、スクリーンに向けた外光の反射によるぎらつきがより抑えられる。
【００１４】
上記スクリーンにおいて、前記透明反射層において、ＪＩＳ  Ａ  ５７５９：２０１６に準拠した可視光透過率が５０％以上であってもよい。この構成によれば、スクリーンが透明状態であるときのスクリーンの透明性がさらに高められる。
【００１５】
上記スクリーンにおいて、前記調光シートは、液晶組成物を含む調光層を有し、前記スクリーンは、紫外線カット層をさらに備えてもよい。この構成によれば、スクリーンに向けた紫外線の少なくとも一部が紫外線カット層によって吸収あるいは反射されることによって、調光層が含む液晶組成物の劣化が抑えられる。
【００１６】
上記スクリーンでは、前記紫外線カット層において、３８０ｎｍ未満の波長を有する光の最大透過率が１％以下であってもよい。この構成によれば、紫外線カット層における３８０ｎｍ未満の波長を有する光の最大透過率が１％以下であるため、調光層に対する紫外線の入射がより抑えられる。
【発明の効果】
【００１７】
本発明によれば、調光シートを備えるスクリーンにおいて、外光の反射によるぎらつきを抑制することができる。
【図面の簡単な説明】
【００１８】
【図１】スクリーンの第１の構成において調光層に駆動電圧が印加されていない状態を示す断面図。
【図２】スクリーンの第１の構成において調光層に駆動電圧が印加されている状態を示す断面図。
【図３】スクリーンの第２の構成において調光層に駆動電圧が印加されていない状態を示す断面図。
【図４】スクリーンの第２の構成において調光層に駆動電圧が印加されている状態を示す断面図。
【図５】（ａ）拡散反射率の測定装置の構成を測定対象である標準白板とともに模式的に示す図、および、（ｂ）拡散反射率の測定装置の構成を測定対象であるスクリーンとともに模式的に示す図。
【図６】クラリティの測定装置の構成を測定対象であるスクリーンとともに模式的に示す図。
【図７】各実施例および各試験例のスクリーンにおける拡散反射率の値を示すグラフ。
【図８】不透明状態におけるスクリーンの画像鮮明性、映り込み、および、ぎらつきを評価するときの評価方法を模式的に示す図。
【図９】透明状態におけるスクリーンの透明性、映り込み、および、ぎらつきを評価するときの評価方法を模式的に示す図。
【発明を実施するための形態】
【００１９】
図１から図９を参照して、スクリーンの一実施形態を説明する。以下では、スクリーンの構成、各パラメーターにおける値の算出方法、および、実施例を順に説明する。なお、本実施形態では、プロジェクターなどの映像を投影するための投影機からスクリーンに当てられる光以外の光を総称して外光と表す。外光は、日射および照明光などを含む。日射は、例えば、３００ｎｍ以上２５００ｎｍ以下の波長域を有する太陽光の放射である。また、本実施形態では、スクリーン越しに存在するものを総称して対象と表す。対象は、スクリーンを介して視認される可能性のある物体である。対象には、例えば、人物、装置、および、静物などが含まれる。
【００２０】
［スクリーンの構成］
図１から図４を参照して、スクリーンの構成を説明する。本実施形態におけるスクリーンには、以下に説明する第１の構成と第２の構成とが含まれる。
【００２１】
［第１の構成］
図１および図２を参照して、スクリーンの第１の構成を説明する。
図１は、スクリーンの第１の構成において、スクリーンが備える調光シートに対して駆動電圧が印加されていない状態を示す。駆動電圧は、調光層に含まれる液晶分子の配向を切り替えるための電圧である。これに対して、図２は、スクリーンの第１の構成において、調光シートに対して駆動電圧が印加されている状態を示す。
【００２２】
図１が示すように、スクリーン１０は、調光シート１０Ａと、透明反射層１５とを備える。調光シート１０Ａは、調光層１１、一対の透明電極層１２、および、一対の透明支持層１３を備えている。一対の透明電極層１２は、調光層１１の厚さ方向において、調光層１１を挟んでいる。一対の透明支持層１３は、調光層１１の厚さ方向において、一対の透明電極層１２を挟んでいる。各透明支持層１３は、互いに異なる透明電極層１２を支持している。調光シート１０Ａに含まれる１つの面が、表面の一例である投影面１０ＡＦであり、投影面１０ＡＦとは反対側の面が、裏面１０ＡＲである。
【００２３】
本実施形態において、調光層１１は、ポリマーネットワーク１１Ａと、液晶組成物１１Ｂとを備える。ポリマーネットワーク１１Ａは、複数のドメイン１１Ｄを含む。各ドメイン１１Ｄは、ポリマーネットワーク１１Ａ内に形成された空隙である。ドメイン１１Ｄは、ポリマーネットワーク１１Ａによって孤立した空間であってもよいし、他の空隙と繋がる空間であってもよい。液晶組成物１１Ｂは、ドメイン１１Ｄ内に充填され、複数の液晶分子１１ＢＬを含む。
【００２４】
各透明電極層１２は、可視域の光に対する透過性を有する。各透明電極層１２を形成する材料は、例えば、透明導電性酸化物（ＴＣＯ）、および、導電性ポリマーなどであってよい。各透明支持層１３は、可視域の光に対する透過性を有する。各透明支持層１３を形成する材料は、例えば、ガラス、および、合成樹脂などであってよい。
【００２５】
スクリーン１０は、紫外線カット層１４を有している。紫外線カット層１４は調光シート１０Ａの裏面１０ＡＲに接している。紫外線カット層１４は、可視域の光に対する透過性を有し、かつ、紫外線カット層１４に入射した紫外線の透過を抑える。紫外線カット層１４において、３８０ｎｍ未満の波長を有する光の最大透過率が１％以下であってよい。スクリーン１０が紫外線カット層１４を有することによって、調光層１１に対する紫外線の入射が抑えられ、これによって、液晶組成物１１Ｂの劣化が抑えられる。しかも、紫外線カット層１４は、３８０ｎｍ未満の光をほぼ透過しないため、液晶組成物１１Ｂの劣化がより抑えられやすい。
【００２６】
本実施形態では、紫外線カット層１４は、紫外線カット層１４と接する他の層に対する粘着性を有する。粘着性を有した紫外線カット層１４は、例えば、粘着剤と、粘着剤に添加された紫外線吸収剤とを含んでいる。
【００２７】
透明反射層１５は、紫外線カット層１４を介して調光シート１０Ａに積層されている。透明反射層１５は、可視域の光に対する反射性および透過性を有し、スクリーン１０が透明反射層１５を有しない場合に比べて、スクリーン１０に向けた光の反射率を高める。透明反射層１５を形成する材料は、例えば金属であってよく、金属は、アルミニウム、および、ニッケルなどであってよい。
【００２８】
透明反射層１５の日射反射率は、２０％以上４５％未満であってよい。日射反射率は、ＪＩＳ  Ａ  ５７５９：２０１６に準拠した方法によって算出される。透明反射層１５の日射反射率が２０％以上４５％未満であれば、スクリーン１０において、投影機から投影される映像以外の像の映り込み、および、スクリーン１０に向けた外光の反射によるぎらつきがさらに抑えられる。また、透明反射層１５の可視光透過率は、５０％以上であってよい。可視光透過率は、ＪＩＳ  Ａ  ５７５９：２０１６に準拠した方法によって算出される。透明反射層１５の可視光透過率が５０％以上であれば、透明状態であるときのスクリーン１０の透明性がさらに高まる。
【００２９】
スクリーン１０は、透明基板１６をさらに備える。透明基板１６は、透明反射層１５における調光シート１０Ａの裏面１０ＡＲと対向する面とは反対側の面に位置する。透明基板１６を形成する材料は、例えば、ガラス、および、合成樹脂などであってよい。
【００３０】
スクリーン１０が備える調光シート１０Ａは、透明状態と不透明状態とを有する。調光シート１０Ａが不透明状態であることにより、スクリーン１０も不透明状態であり、調光シート１０Ａが透明状態であることにより、スクリーン１０も透明状態である。スクリーン１０において、投影光による映像が投影される状態が不透明状態であり、投影光による映像が投影されない状態が透明状態である。調光層１１では、液晶分子１１ＢＬを駆動する駆動電圧の印加の有無に応じて液晶分子１１ＢＬの配向が切り替わることによって、調光シート１０Ａの状態が透明状態と不透明状態との間で切り替わる。上述した投影面１０ＡＦは、不透明状態において投影機からの光を与えられる面である。
【００３１】
本実施形態において、不透明状態は、駆動電圧が印加されていないときを含む。上述したように、図１が示すスクリーン１０において、一対の透明電極層１２には駆動電圧が印加されていない。このとき、各ドメイン１１Ｄ内に位置する複数の液晶分子１１ＢＬの配向方向はランダムである。そのため、一対の透明支持層１３のいずれかからスクリーン１０に向けた光は、調光層１１において等方的に散乱される。それゆえに、スクリーン１０は不透明状態である。不透明状態のうち、調光層１１に駆動電圧が印加されていないときが、スクリーン１０において最も不透明な状態である。
【００３２】
スクリーン１０の不透明状態は、投影面１０ＡＦに向けた可視域の光に対する拡散反射率の平均値（以下、平均拡散反射率と称する。）が１０％以上２０％未満である状態を含む。ここで可視域とは、ＪＩＳ  Ｚ  ８１２０：２００１に倣い、３６０ｎｍ以上４００ｎｍ以下の任意の値を下限としかつ７６０ｎｍ以上８３０ｎｍ以下の任意の値を上限とする範囲と定義する。本実施形態では、より具体的に３８０ｎｍ以上７８０ｎｍ以下を可視域と想定する。平均拡散反射率は、例えば、３８０ｎｍから７８０ｎｍまでの範囲で１ｎｍごとに検出された拡散反射率の平均値である。スクリーン１０の平均拡散反射率が１０％以上であることによって、スクリーン１０に投影される映像の鮮明性を維持しつつ、２０％未満であることによって、スクリーン１０に向けた外光の反射によるスクリーン１０のぎらつきを抑えることができる。
【００３３】
本実施形態のスクリーン１０の不透明状態は、さらに４３０ｎｍ以上７００ｎｍ以下の各波長を有する光の全てに対して、拡散反射率が１０％以上２０％未満である状態を含む。４３０ｎｍ以上７００ｎｍ以下の波長域は、比視感度の極大値を含む範囲である。比視感度とは、人間の目が波長ごとの光の明るさを感じる強さを表す指数であり、５５５ｎｍの波長域において、比視感度は極大値を有する。参考までに国際照明委員会（ＣＩＥ）において定められた明所視標準比視感度では、４００ｎｍ以上７００ｎｍ以下の波長を有する光の範囲において比視感度の値が他の波長領域に比べて高い。
【００３４】
そのため、４３０ｎｍ以上７００ｎｍ以下の各波長を有する光に対する拡散反射率（以下、単に拡散反射率も称する。）が１０％以上２０％未満であることにより、スクリーン１０の観察者が、スクリーン１０に向けた外光の反射によるぎらつきによって、スクリーン１０を眩しいと感じることが好適に抑えられる。これによって、スクリーン１０の視認性が高められる。
【００３５】
スクリーン１０において、平均拡散反射率および拡散反射率の一方のみが上述した範囲に含まれてもよいし、平均拡散反射率および拡散反射率の両方が、各パラメーターにおける上述した範囲に含まれてもよい。
【００３６】
スクリーン１０の不透明状態は、スクリーン１０のヘイズが９８％以上、かつ、スクリーン１０のクラリティ（ｃｌａｒｉｔｙ）が４２％以下である状態をさらに含んでもよい。ヘイズは、ＪＩＳ  Ｋ  ７１３６：２０００に準拠する方法によって算出される。これにより、スクリーン１０に投影された映像の鮮明性がさらに高められる。
【００３７】
図２が示すように、駆動回路１０Ｄが調光層１１に駆動電圧を印加することによって、複数の液晶分子１１ＢＬの配向が、ランダムな配向から、光を透過する方向である例えば垂直配向に変わる。各液晶分子１１ＢＬは、調光層１１が広がる平面に対して、液晶分子１１ＢＬの長軸がほぼ垂直であるように、ドメイン１１Ｄ内に位置している。そのため、投影面１０ＡＦから調光層１１に入射した光は、調光層１１においてほぼ散乱されることなく調光層１１を透過する。それゆえに、調光層１１は透明状態であり、これによって、スクリーン１０も透明状態である。
【００３８】
スクリーン１０の透明状態は、スクリーン１０のヘイズが１２．８％以下であり、かつ、スクリーン１０の平行光線透過率が４２％以上である状態を含んでよい。これにより、スクリーン１０が透明状態であるときのスクリーン１０の透明性が高められる。
【００３９】
［第２の構成］
図３および図４を参照して、スクリーンの第２の構成を説明する。
図３は、スクリーンの第２の構成において、調光層１１に駆動電圧が印加されていない状態を示している。これに対して、図４は、スクリーンの第２の構成において、調光層１１に駆動電圧が印加されている状態を示している。
【００４０】
図３が示すように、スクリーン２０が備える調光シート２０Ａは、調光層１１、一対の透明電極層１２、一対の透明支持層１３に加えて、調光層１１を挟む一対の配向層２１を備える。一対の配向層２１は、調光層１１の厚さ方向において、調光層１１を挟んでいる。一対の透明電極層１２は、調光層１１の厚さ方向において、一対の配向層２１を挟んでいる。調光シート２０Ａにおいて、対向する一対の面のうち、一方の面が表面の一例である投影面２０ＡＦであり、他方の面が裏面２０ＡＲである。
【００４１】
各配向層２１が垂直配向層である場合には、調光層１１に駆動電圧が印加されていない状態において、各ドメイン１１Ｄに含まれる液晶分子１１ＢＬの配向は垂直配向である。各液晶分子１１ＢＬは、調光層１１が広がる平面に対して、液晶分子１１ＢＬの長軸がほぼ垂直であるように、ドメイン１１Ｄ内に位置している。そのため、投影面２０ＡＦからスクリーン２０に入射した光は、調光層１１においてほぼ散乱されることなく調光層１１を透過する。それゆえに、調光層１１は透明状態であり、これによって、スクリーン２０も透明状態である。
【００４２】
スクリーン１０の透明状態は、上述した第１の構成と同様、スクリーン２０のヘイズが１２．８％以下であり、かつ、スクリーン１０の平行光線透過率が４２％以上である状態を含んでよい。これにより、スクリーン２０が透明状態であるときのスクリーン２０の透明性が高められる。
【００４３】
図４が示すように、調光層１１に駆動電圧が印加されていることによって、複数の液晶分子１１ＢＬの配向が変わる。例えば、複数の液晶分子１１ＢＬの配向は、垂直配向から水平配向に変わる。このとき、各液晶分子１１ＢＬは、液晶分子１１ＢＬの長軸が、調光層１１が広がる平面に沿って延びるように、ドメイン１１Ｄ内に位置している。そのため、投影面２０ＡＦからスクリーン２０に入射した光は、調光層１１において散乱される。それゆえに、スクリーン２０も不透明状態である。
【００４４】
スクリーン２０において、上述した第１の構成と同様、スクリーン２０の不透明状態は、スクリーン２０の平均拡散反射率が、１０％以上２０％未満である状態を含む。また、スクリーン２０の不透明状態は、拡散反射率が１０％以上２０％未満である状態を含む。言い換えれば、駆動回路１０Ｄは、スクリーン２０が不透明状態であるときに、スクリーン２０の平均拡散反射率および拡散反射率の少なくとも一方が１０％以上２０％未満となる駆動電圧を一対の透明電極層１２に印加する。なお、スクリーン２０においても、平均拡散反射率および拡散反射率のいずれか一方のみが各波長域における上述した好適な範囲に含まれてもよいし、平均拡散反射率および拡散反射率の両方が、各パラメーターにおける上述した好適な範囲に含まれてもよい。
【００４５】
スクリーン２０の不透明状態は、第１の構成と同様、スクリーン２０のヘイズが９８％以上、かつ、スクリーン２０のクラリティが４２％以下である状態を含んでよい。これにより、スクリーン２０に投影された製造の鮮明性がさらに高められる。
【００４６】
なお、上述したように、スクリーン１０，２０は、いずれも、調光シート１０Ａ，２０Ａに対して透明反射層１５とは反対側がスクリーン１０，２０に対する光の投影側に設定された場合に、スクリーン１０，２０が反射した光を観察者が視認するスクリーン、すなわち反射型のスクリーンとして用いることが可能である。しかしながら、これらのスクリーン１０，２０は、調光シート１０Ａ，２０Ａに対して透明反射層１５とは反対側がスクリーン１０，２０に対する光の投影側に設定された場合に、スクリーン１０，２０が透過した光を観察者が視認するスクリーン、すなわち透過型のスクリーンとして用いることも可能ではある。
【００４７】
［拡散反射率の算出方法］
図５を参照して、拡散反射率の算出方法を説明する。図５は、拡散反射率の算出に用いる測定装置の一例を示している。図５（ａ）は、拡散反射率のベースラインを補正する際の測定方法を模式的に示している。図５（ｂ）は測定対象の拡散反射率を測定する際の測定方法を模式的に示している。図５（ａ）および図５（ｂ）は、測定装置を上面視した場合の測定装置の構造を、標準白板もしくは測定対象とともに模式的に示している。
【００４８】
図５（ａ）が示すように、スクリーンの拡散反射率の測定に際し、拡散反射率のベースラインを補正する。ベースラインの補正は、積分球に取り付けた標準白板Ｒに対して測定光を照射したときの測定結果に基づいて行われる。
【００４９】
拡散反射率の測定装置３０は、例えば、積分球３１と検出部３２とを備えている。積分球３１は、内壁に硫酸バリウムなどの反射性の高い材料を有した球体である。積分球３１は、第１開口Ａ１および第２開口Ａ２を有している。積分球３１は、積分球３１に形成された開口Ａ１，Ａ２から積分球３１内に入射した光を散乱させる。本実施形態では、正反射光を含まない拡散反射光のみを上述した拡散反射率算出のために測定している。積分球３１には、第１開口Ａ１と対向する位置と、第２開口Ａ２と対向する位置との両方に標準白板Ｒが取り付けられている。標準白板Ｒは、例えば、硫酸バリウムによって形成された反射面を有する。
【００５０】
積分球３１には、第１開口Ａ１から測定光ＭＬが入射し、かつ、第２開口Ａ２から対照光ＣＬが入射する。測定光ＭＬと対照光ＣＬとは、同一の光源から放射された光を分光器によって２つに分割された単波長の光における一方および他方である。開口Ａ１，Ａ２から入射した測定光ＭＬおよび対照光ＣＬは標準白板Ｒに向かって積分球３１内を直進する。
【００５１】
検出部３２は、標準白板Ｒにおいて反射した後に、積分球３１内を拡散する反射光を検出する。検出部３２は、測定光ＭＬおよび対照光ＣＬが直接照射されない位置に取り付けられている。標準白板Ｒに対する測定光ＭＬの入射角度が０°であるため、測定光ＭＬの正反射光は、測定光ＭＬが入射した第１開口Ａ１から積分球３１の外に出る。これにより、検出部３２は標準白板Ｒに反射した反射光のうち、積分球３１内において拡散した拡散反射光のみを検出する。
【００５２】
一方で、第２開口Ａ２から積分球３１内に入射した対照光ＣＬの入射角度は、約８°である。そのため、対照光ＣＬの正反射光および拡散反射光は、積分球３１内において拡散する。これにより、検出部３２は、対照光の正反射光と拡散反射光との両方を検出する。検出部３２は対照光と測定光とを同時に検出し、この際に検出された光の強度をベースラインとする。
【００５３】
図５（ｂ）が示すように、測定対象の拡散反射率を測定する場合には、第１開口Ａ１に対向する位置に取り付けられた標準白板Ｒに代えて、測定対象Ｓを測定装置３０に取り付ける。本実施形態において、測定対象Ｓは、スクリーン１０，２０である。スクリーン１０，２０の大きさは、測定に際して規定の大きさに調整される。
【００５４】
測定対象Ｓにおける拡散反射率の測定時において、測定対象Ｓに入射した測定光ＭＬは測定対象Ｓにおいて反射され、かつ、標準白板Ｒに入射した対照光ＣＬは、標準白板Ｒにおいて反射される。ベースラインの補正時と同様、測定光ＭＬに基づく正反射光は、第１開口Ａ１から積分球３１の外に出る。そのため、検出部３２は、測定対象Ｓにおいて反射された光のうち、積分球３１内に拡散した拡散反射光のみを検出する。
【００５５】
一方で、第２開口Ａ２から積分球３１に入射した対照光ＣＬに基づく正反射光および拡散反射光は、積分球３１の内部において拡散する。そのため、検出部３２は対照光ＣＬの正反射光と拡散反射光との両方を検出する。そして、ベースラインの補正時に得られた光量に対する測定対象Ｓを用いた場合に得られた光量の百分率として、拡散反射率が算出される。これにより、４３０ｎｍ以上７００ｎｍ以下の各波長に対するスクリーン１０，２０の拡散反射率が得られる。また、３８０ｎｍ以上７８０ｎｍ以下の各波長を有する光に対する拡散反射率の各値を平均することによって、スクリーン１０，２０の平均拡散反射率が得られる。なお、本実施形態では、平均拡散反射率の算出に際して、３８０ｎｍ以上７８０ｎｍ以下の範囲において、１ｎｍごとに得られる拡散反射率を用いている。
【００５６】
［クラリティの算出方法］
図６を参照して、クラリティの算出方法を説明する。図６は、クラリティの算出に用いられる測定装置の一例を模式的に示している。
【００５７】
図６が示すように、クラリティの測定装置４０は、照射部４１、受光部４２、および、積分球４３を備える。照射部４１は、光源４１Ａとレンズ４１Ｂとを備える。光源４１Ａは白色ＬＥＤであり、レンズ４１Ｂは、光源４１Ａが放出した光を平行光ＬＰに変換する。受光部４２は、中央センサー４２Ｃと、外周センサー４２Ｒとを備える。中央センサー４２Ｃおよび外周センサー４２Ｒは、それぞれ環状を有する。外周センサー４２Ｒは、中央センサー４２Ｃの外側に位置している。なお、測定装置４０は、測定対象のクラリティを測定だけでなく、ヘイズの測定にも用いることが可能である。測定装置４０の積分球４３は、ヘイズの測定時にのみ用いられる。
【００５８】
測定装置４０において、スクリーン１０，２０は、照射部４１と積分球４３との間に配置される。レンズ４１Ｂから射出された平行光ＬＰの光束における直径は、本実施形態では１４ｍｍである。スクリーンを透過した光には、スクリーンに入射した平行光ＬＰの光軸に対して直進する直進光ＬＳと、平行光ＬＰの光軸に対する角度が±２．５°以内である狭角散乱光ＬＮＳとが含まれる。受光部４２では、中央センサー４２Ｃが直進光ＬＳを受光し、外周センサー４２Ｒが狭角散乱光ＬＮＳを受光する。中央センサー４２Ｃが受光した直進光ＬＳの光量をｌＣに設定し、外周センサー４２Ｒが受光した狭角散乱光ＬＮＳの光量をｌＲに設定する。
【００５９】
クラリティは、スクリーン１０，２０を透過した光のなかで、スクリーン１０，２０に入射した平行光ＬＰの光軸に対して直進する直進光ＬＳの光量を光量ｌＣとし、平行光ＬＰの光軸に対する角度が±２．５°以内である狭角散乱光ＬＮＳの光量を光量ｌＲとするときに、以下の式（１）によって算出される。
１００×（ｌＣ−ｌＲ）／（ｌＣ＋ｌＲ）  …  式（１）
【００６０】
このように、クラリティとは、狭角散乱光を用いてスクリーン１０，２０の状態を評価するパラメーターである。そのため、クラリティによれば、スクリーン１０，２０を通した対象の像において、対象における非常に微小な部分が、どの程度鮮明であるかを評価することが可能である。これにより、観察者が、スクリーン１０，２０を介して対象を視認したときには、スクリーン１０，２０におけるクラリティの値が小さいほど、スクリーン１０，２０越しの対象における輪郭がぼやける、言い換えれば、対象の鮮明さが低下する。このように、クラリティとは、スクリーン１０，２０を介して視認された対象の像における鮮明さを評価するものである。
【００６１】
［ヘイズの算出方法］
測定装置４０を用いて測定された光量を用いて、スクリーン１０，２０におけるヘイズを算出することが可能である。なお、ヘイズは、ＪＩＳ  Ｋ  ７１３６：２０００に準拠する方法によって算出される。また、測定装置４０を用いてヘイズを測定する場合には、積分球４３内に配置された受光部によって、スクリーン１０，２０を透過した光を受光する。
【００６２】
ヘイズとは、スクリーン１０，２０を通過する透過光のうち、前方散乱によって入射光から２．５°以上それた透過光の百分率のことである。言い換えれば、ヘイズの測定において、上述した平行光ＬＰの光軸に対する角度が±２．５°未満の光が平行光であり、±２．５°以上の光が広角散乱光である。広角散乱光の透過率を拡散透過率Ｔｄとし、平行光の透過率を平行光線透過率Ｔｐとし、平行光線透過率Ｔｐと拡散透過率Ｔｄとの和を全光線透過率Ｔｔとする。このとき、ヘイズは、全光線透過率Ｔｔ中の拡散透過率Ｔｄの割合である。
【００６３】
このように、ヘイズとは広角散乱光を用いてスクリーン１０，２０の状態を評価するパラメーターである。そのため、ヘイズによれば、スクリーン１０，２０を目視によって観察した場合に、観察者が知覚するスクリーン１０，２０全体の濁り度合い、例えば、スクリーン１０，２０全体の白茶け度合いを評価することが可能である。これにより、観察者が、スクリーン１０，２０を介して対象を視認したときには、スクリーン１０，２０におけるヘイズの値が大きいほど、スクリーン１０，２０越しの対象と、対象の周囲とのコントラストが低下し、観察者には対象がかすんで見える。
【００６４】
［平行光線透過率の算出方法］
ヘイズの算出方法において先に説明したように、平行光線透過率Ｔｐとは、前方散乱によって入射光に対して±２．５°未満しかそれていない透過光の百分率のことである。
【００６５】
［日射透過率および日射反射率の算出方法］
日射透過率および日射反射率は、上述したように、ＪＩＳ  Ａ  ５７５９：２０１６に準拠する方法によって測定される。日射透過率τｅは、スクリーンに垂直に入射する日射の放射束について、入射放射束に対する透過放射束の比である。日射反射率ρｅは、スクリーンに垂直に入射する日射の放射束について、入射放射束に対する反射放射束の比である。
【００６６】
透過放射束は、３００ｎｍ以上２５００ｎｍ以下の波長域の分光透過率τ（λ）を測定し、測定された分光透過率τ（λ）に対して重価係数Ｅλ・Δλを乗じた値を加重平均することによって算出される。日射透過率τｅは、下記式（２）によって表される。
【００６７】
【数１】
0006669300.tif 000002
【００６８】
また、反射放射束は、３００ｎｍ以上２５００ｎｍ以下の波長域の分光反射率ρ(λ)を測定し、測定された分光反射率ρ（λ）に対して重価係数Ｅλ・Δλを乗じた値を加重平均することによって算出される。日射反射率ρｅは下記式（３）によって表される。
【００６９】
【数２】
0006669300.tif 000003
【００７０】
なお、分光透過率τ（λ）は、３００ｎｍ以上２５００ｎｍ以下の日射波長域について、紫外可視近赤外分光光度計において積分球を用いた透過測定によって得られる。分光反射率ρ（λ）は、３００ｎｍ以上２５００ｎｍ以下の日射波長域について、紫外可視近赤外分光光度計において積分球を用いた反射測定によって得られる。なお、重価係数Ｅλ・Δλは、日射の標準スペクトル分布を示し、ＪＩＳ  Ａ  ５７５９：２０１６に基づく値である。
【００７１】
［可視光透過率および可視光反射率の算出方法］
可視光透過率は、ＪＩＳ  Ａ  ５７５９：２０１６に準拠する方法によって測定される。一方で、可視光反射率は、ＪＩＳ  Ｒ  ３１０６：２０１９に準拠する方法によって測定される。可視光透過率τｖは、スクリーンに垂直に入射する可視光の光束について、入射光束に対する透過光束の比である。可視光反射率ρｖは、スクリーンに垂直に入射する可視光の光束について、入射光束に対する反射光束の比である。
【００７２】
透過光束は、３８０ｎｍ以上７８０ｎｍ以下の波長域の分光透過率τ（λ）を測定し、測定された分光透過率τ（λ）に対して重価係数Ｄλ・Ｖ（λ）・Δλを乗じた値を加重平均することによって算出される。可視光透過率τｖは、下記式（４）によって表される。
【００７３】
【数３】
0006669300.tif 000004
【００７４】
なお、分光透過率τ（λ）は、３８０ｎｍ以上７８０ｎｍ以下の可視光波長の範囲について、紫外可視近赤外分光光度計において積分球を用いた透過測定によって得られる。重価係数Ｄλ・Ｖ（λ）・Δλは、ＪＩＳ  Ａ  ５７５９：２０１６に基づく値である。
反射光束は、３８０ｎｍ以上７８０ｎｍ以下の波長域の分光反射率ρ（λ）を測定し、測定された分光反射率ρ（λ）に対して重価係数Ｄλ・Ｖλを乗じた値を加重平均することによって算出される。可視光反射率ρｖは、下記式（５）によって表される。
【００７５】
【数４】
0006669300.tif 000005
【００７６】
なお、分光反射率ρ（λ）は、３８０ｎｍ以上７８０ｎｍ以下の可視光波長の範囲について、紫外可視近赤外分光光度計において積分球を用いた反射測定によって得られる。重価係数Ｄλ・Ｖλは、ＪＩＳ  Ｒ  ３１０６：２０１９に基づく値である。
【００７７】
［実施例］
図７から図９を参照して、実施例を説明する。
［実施例１］
ポリマーネットワーク型の調光層を有した調光シート、紫外線カット層、透明反射層（ＳＰ‐ＭＳＶ５０、（株）ブレインテック製）、および、透明基板を順に積層することによって実施例１のスクリーンを得た。なお、実施例１のスクリーンとして、上述した第１の構成を有するスクリーンを得た。分光光度計（Ｕ‐４１００、（株）日立ハイテクノロジーズ製）を用いた測定により、透明反射層の可視光透過率が５０％であり、可視光反射率が２５％であることが認められた。また、分光光度計（同上）を用いた測定により、透明反射層の日射反射率が２４％であり、日射透過率が４０％であり、日射吸収率が３６％であることが認められた。
【００７８】
［比較例１］
実施例１において、透明反射層をＳＰ−ＭＳＶ７０（（株）ブレインテック製）に変更した以外は、実施例１と同様の方法によって、比較例１のスクリーンを得た。なお、分光光度計（同上）を用いた測定により、透明反射層の可視光透過率が６８％であり、可視光反射率が１２％であることが認められた。また、分光光度計（同上）を用いた測定により、透明反射層の日射反射率が１３％であり、日射透過率が５６％であり、日射吸収率が３１％であることが認められた。
【００７９】
［実施例２］
実施例１において、透明反射層をＲＥ５０ＮＩＡＲ（スリーエム  ジャパン（株）製）に変更した以外は、実施例１と同様の方法によって、実施例２のスクリーンを得た。分光光度計（同上）を用いた測定により、透明反射層の可視光透過率が５１％であり、可視光反射率が２６％であることが認められた。また、分光光度計（同上）を用いた測定により、透明反射層の日射反射率が３２％であり、日射透過率が３８％であり、日射吸収率が３０％であることが認められた。
【００８０】
［実施例３］
実施例１において、透明反射層をＮｏｖａ７０（リンテック（株）製）に変更した以外は、実施例１と同様の方法によって、実施例３のスクリーンを得た。分光光度計（同上）を用いた測定により、透明反射層の可視光透過率が６４％であり、可視光反射率が２６％であることが認められた。また、分光光度計（同上）を用いた測定により、透明反射層の日射反射率が３４％であり、日射透過率が４６％であり、日射吸収率が２０％であることが認められた。
【００８１】
［比較例２］
実施例１において、透明反射層をＮｏｖａ５０（リンテック（株）製）に変更した以外は、実施例１と同様の方法によって、比較例２のスクリーンを得た。分光光度計（同上）を用いた測定によって、透明反射層の可視光透過率が４９％であり、可視光反射率が３７％であることが認められた。また、分光光度計（同上）を用いた測定により、透明反射層の日射反射率が４５％であり、日射透過率が３２％であり、日射吸収率が２３％であることが認められた。
【００８２】
［比較例３］
実施例１において、透明反射層をＮｏｖａ３５（リンテック（株）製）に変更した以外は、実施例１と同様の方法によって、比較例３のスクリーンを得た。分光光度計（同上）を用いた測定により、透明反射層の可視光透過率が３８％であり、可視光反射率が４６％であることが認められた。また、分光光度計（同上）を用いた測定により、透明反射層の日射反射率が５２％であり、日射透過率が２４％であり、日射吸収率が２４％であることが認められた。
【００８３】
［比較例４］
実施例１において、透明反射層を備えない以外は、実施例１と同様の方法によって、比較例４のスクリーンを得た。
【００８４】
［不透明状態のスクリーンにおける光学特性］
実施例１から実施例３、および、比較例１から比較例４のスクリーンが不透明状態であるときの拡散反射率、ヘイズ、および、クラリティを算出した。拡散反射率の測定には、ＵＶ‐３６００（（株）島津製作所製）を用いた。ヘイズの測定には、ヘーズメーター（ＮＤＨ７０００ＳＰ、日本電色工業（株）製）を用いた。クラリティの測定には、ヘイズ・透明性測定器（ヘイズガードｉ、ＢＹＫ‐Ｇａｒｄｎｅｒ社製）を用いた。なお、各実施例および各比較例におけるスクリーンは、上述した第１の構成を有しているため、駆動電圧を印加していない状態のスクリーンを用いて、各パラメーターの値を算出した。
【００８５】
［評価結果］
各実施例および各比較例のスクリーンにおける拡散反射率の算出結果は、図７に示す通りであった。
【００８６】
図７が示すように、実施例１から実施例３のスクリーンの各々において、４３０ｎｍから７００ｎｍの各波長を有する全ての光の拡散反射率が１０％以上２０％未満であることが認められた。一方で、比較例１、および、比較例４のスクリーンにおいて、４３０ｎｍ以上７００ｎｍ以下の各波長を有する光の拡散反射率が、１０％未満であることが認められた。また、比較例２のスクリーンでは、４１５ｎｍ以下の各波長を有する光の拡散反射率が１０％未満であり、５３２ｎｍ以上の各波長を有する光に対する拡散反射率が２０％以上であることが認められた。さらに、比較例３のスクリーンでは、４１１ｎｍ以下の各波長を有する光の拡散反射率が１０％未満であり、４３３ｎｍ以上の各波長を有する光の拡散反射率が２０％以上であることが認められた。
【００８７】
各実施例および各比較例のスクリーンにおいて、平均拡散反射率、ヘイズ、および、クラリティの各々の算出結果は、表１に示す通りであった。
【００８８】
【表１】
0006669300.tif 000006
【００８９】
表１が示すように、実施例１の平均拡散反射率が１１．８％であり、比較例１の平均拡散反射率が６．８％あり、実施例２の平均拡散反射率が１３．０％であることが認められた。また、実施例３の平均拡散反射率が１４．４％であり、比較例２の平均拡散反射率が２２．０％であり、比較例３の平均拡散反射率が３１．１％であり、比較例４の平均拡散反射率が２．９％であることが認められた。
【００９０】
表１が示すように、実施例１のヘイズが９８．７％であり、比較例１のヘイズが９８．７％であり、実施例２のヘイズが９８．７％であることが認められた。また、実施例３のヘイズが９８．０％であり、比較例２のヘイズが９８．８％であり、比較例３のヘイズが９８．８％であり、比較例４のヘイズが９８．９％であることが認められた。
【００９１】
表１が示すように、実施例１のクラリティが３７．３％であり、比較例１のクラリティが４１．９％であり、実施例２のクラリティが３８．９％であることが認められた。また、実施例３のクラリティが３７．６％であり、比較例２のクラリティが４０．３％であり、比較例３のクラリティが３４．２％であり、比較例４のクラリティが４０．０％であることが認められた。
【００９２】
［透明状態のスクリーンにおける光学特性］
各実施例および各比較例のスクリーンが透明状態であるときのヘイズ、および、平行光線透過率を測定した。ヘイズの測定には、ヘーズメーター（ＮＤＨ７０００ＳＰ、日本電色工業（株）製）を用いた。また、平行光線透過率の測定には、ヘーズメーター（同上）を用いた。
【００９３】
［評価結果］
各実施例および各比較例のスクリーンの各々において、ヘイズ、および、平行光線透過率の各々の測定結果は、表２に示す通りであった。
【００９４】
【表２】
0006669300.tif 000007
【００９５】
表２が示すように、実施例１のヘイズが１１．１％であり、比較例１のヘイズが９．５％であり、実施例２のヘイズが１１．９％であることが認められた。また、実施例３のヘイズが１２．８％であり、比較例２のヘイズが１３．２％であり、比較例３のヘイズが１４．１％であり、比較例４のヘイズが５．６％であることが認められた。
【００９６】
表２が示すように、実施例１の平行光線透過率が４２．０％であり、比較例１の平行光線透過率が５６．９％あり、実施例２の平行光線透過率が４３．１％であることが認められた。また、実施例３の平行光線透過率が５５．３％であり、比較例２の平行光線透過率が４４．１％であり、比較例３の平行光線透過率が３０．６％であり、比較例４の平行光線透過率が８１．４％であることが認められた。
【００９７】
［不透明状態のスクリーンにおける視認性］
不透明状態の各スクリーンについて、１０人の被検者によって視認性を評価した。この際の評価方法は、図８に示される通りに設定された。
【００９８】
すなわち、図８が示すように、高さ方向において、光源Ｌと観察者ＯＢとの間の差を高さＨ１に設定した。また、光源Ｌと観察者ＯＢとの間の距離を第１距離Ｄ１に設定し、スクリーン１０の表面と光源Ｌとの間の距離を第２距離Ｄ２に設定し、プロジェクターＰとスクリーン１０との間の距離を第３距離Ｄ３に設定した。この際に、スクリーン１０の調光シート１０Ａに対して透明反射層１５とは反対側がスクリーン１０に対する光の投影側であるように、スクリーン１０に対してプロジェクターＰを配置した。そして、高さＨ１を１００ｃｍに設定し、第１距離Ｄ１を５０ｃｍに設定し、第２距離Ｄ２および第３距離Ｄ３を１００ｃｍに設定した。
【００９９】
スクリーン１０の投影面に対してプロジェクターＰから８００ｌｍの明るさを有した映像を投影し、１０人の被験者によって、各スクリーン１０における画像の鮮明性、所望とする画像以外の像の映り込み、および、スクリーンのぎらつきを目視によって評価した。なお、スクリーン１０の投影面を観察したときに、１０人中７人以上が、鮮明性が高い、映り込みがない、および、ぎらつきがないと判断した場合の各々を「○」とした。一方で、１０人中４人以上が、鮮明性が低い、映り込みがある、および、ぎらつきがあると判断した場合の各々を「×」とした。評価結果は、以下の表３に示す通りであった。
【０１００】
【表３】
0006669300.tif 000008
【０１０１】
［評価結果］
表３が示すように、実施例１から実施例３、比較例２、および、比較例３のスクリーンでは、画像の鮮明性が高いと認められた。これに対して、比較例１、および、比較例４のスクリーンでは、画像の鮮明性が低いと認められた。また、実施例１から実施例３、比較例１、および、比較例４のスクリーンでは、映り込みがないことが認められた。これに対して、比較例２、および、比較例３のスクリーンでは、映り込みがあることが認められた。さらに、実施例１から実施例３、比較例１、および、比較例４のスクリーンでは、ぎらつきがないことが認められた。これに対して、比較例２、および、比較例３のスクリーンでは、ぎらつきがあることが認められた。
【０１０２】
このように、実施例１から実施例３のスクリーンによれば、画像の鮮明性、映り込みのなさ、および、ぎらつきのなさがいずれも満たされることが認められた。これに対して、比較例１のスクリーンでは、映り込みのなさ、および、ぎらつきのなさは満たされる一方で、画像の鮮明性は満たされないことが認められた。また、比較例２および比較例３のスクリーンでは、画像の鮮明性は満たされる一方で、映り込みのなさ、および、ぎらつきのなさは満たされないことが認められた。
【０１０３】
このように、スクリーンが有する平均拡散反射率、および、拡散反射率の各々が１０％以上２０％未満であることによって、画像の鮮明性と、ぎらつきのなさとの両方が満たされることが認められた。これに対して、スクリーンが有する平均拡散反射率、および、拡散反射率が１０％未満であることによって、画像の鮮明性が満たされず、また、平均拡散反射率、および、拡散反射率が２０％を超えることによって、ぎらつきのなさが満たされないことが認められた。
【０１０４】
［透明状態におけるスクリーンの透明性］
透明状態の各スクリーンについて、１０人の被検者によって視認性を評価した。この際の評価方法は、図９に示される通りに設定された。
【０１０５】
すなわち、図９が示すように、高さ方向において、光源Ｌと観察者ＯＢとの間の差を高さＨ２に設定した。また、光源Ｌと観察者ＯＢとの間の距離を第４距離Ｄ４に設定し、スクリーン１０の表面と光源Ｌとの間の距離を第５距離Ｄ５に設定し、スクリーン１０と観察対象５１との間の距離を第６距離Ｄ６に設定した。そして、高さＨ２を１００ｃｍに設定し、第４距離Ｄ４を５０ｃｍに設定し、第５距離Ｄ５を１００ｃｍに設定し、第６距離Ｄ６を５０ｃｍに設定した。この際に、スクリーン１０の投影面が観察者ＯＢと対向するように、スクリーン１０を配置した。
【０１０６】
また、観察対象５１として、白色の正方形と黒色の正方形とが、横方向および縦方向の両方において交互に並ぶチェックパターン（byko-charts、ＢＹＫ社製）を用いた。なお、各正方形において、一辺の長さが３１ｍｍであった。
【０１０７】
１０人の被験者によって、各実施例および各比較例のスクリーンを透明状態にした場合に、スクリーン１０越しに見えるチェックパターンを視認した。この際に、スクリーン１０の透明性、チェックパターン以外の像の映り込み、および、ぎらつきを目視によって評価した。なお、スクリーン１０越しに観察対象５１を観察したときに、１０人中７人以上が透明性が高い、映り込みがない、および、ぎらつきがないと判断した場合の各々を「○」とした。一方で、１０人中４人以上が透明性が低い、映り込みがある、および、ぎらつきがあると判断した場合の各々を「×」とした。評価結果は、以下の表４に示す通りであった。
【０１０８】
【表４】
0006669300.tif 000009
【０１０９】
［評価結果］
表４が示すように、実施例１から実施例３、比較例１、および、比較例４のスクリーンは、透明性が高いと認められた。これに対して、比較例２、および、比較例３のスクリーンは、透明性が低いと認められた。実施例１から実施例３、比較例１、および、比較例４のスクリーンでは、映り込みがないと認められた。これに対して、比較例２、および、比較例３のスクリーンでは、映り込みがあると認められた。実施例１から実施例３、比較例１、および、比較例４のスクリーンでは、ぎらつきがないと認められた。これに対して、比較例２、および、比較例３のスクリーンでは、ぎらつきがあると認められた。
【０１１０】
このように、実施例１から実施例３、比較例１、および、比較例４のスクリーンによれば、透明性の高さ、映り込みのなさ、および、ぎらつきのなさのいずれもが満たされることが認められた。これに対して、比較例２、および、比較例３のスクリーンによれば、透明性の高さ、映り込みのなさ、および、ぎらつきのなさのいずれもが満たされないことが認められた。
【０１１１】
このように、平均拡散反射率、および、拡散反射率が１０％以上２０％未満である場合には、スクリーン１０が透明状態である場合にも、スクリーン１０に求められる特性が満たされることが認められた。
【０１１２】
なお、スクリーンとして第２の構成のスクリーンを準備した場合には、調光層に対して、液晶分子の駆動電圧として液晶分子の配向が電圧の増大によって変化し難い程度の電圧である飽和電圧を印加した状態で、不透明状態を評価することが可能である。
【０１１３】
以上説明したように、スクリーンの一実施形態によれば、以下に列挙する効果を得ることができる。
（１）スクリーン１０，２０に投影される映像の鮮明性を維持しつつ、スクリーン１０，２０に向けた外光の反射によるスクリーン１０，２０のぎらつきを抑えることが可能である。
【０１１４】
（２）スクリーン１０，２０が不透明状態であるときのヘイズが９８％以上であり、クラリティが４２％以下である場合には、スクリーン１０，２０に投影された映像の鮮明性がさらに高められる。
【０１１５】
（３）スクリーン１０，２０が透明状態であるときのヘイズが１２．８％以下であり、平行光線透過率が４２％以上である場合には、スクリーン１０，２０が透明状態であるときのスクリーン１０，２０の透明性が高められる。
【０１１６】
（４）日射反射率が２０％以上４５％未満である場合には、スクリーン１０，２０に投影する映像以外の像の映り込み、および、スクリーン１０，２０に向けた外光の反射によるぎらつきがより抑えられる。
【０１１７】
（５）紫外線カット層１４を備える場合には、調光層１１に含まれる液晶組成物の劣化が抑えられる。
（６）３８０ｎｍ未満の波長を有する光の最大透過率が１％以下である場合には、調光層１１に対する紫外線の入射がより抑えられる。
【０１１８】
なお、上記実施形態は、以下のように変更して実施することができる。
［紫外線カット層］
・紫外線カット層１４において、３８０ｎｍ未満の波長を有する光の最大透過率が１％以上であってもよい。この場合であっても、紫外線カット層１４が紫外線の波長域に含まれる光の一部を吸収ないし反射することが可能であれば、上述した（５）に準じた効果を得ることはできる。
【０１１９】
・紫外線カット層１４、調光シート１０Ａ，２０Ａの投影面１０ＡＦ，２０ＡＦに積層されてもよい。この場合には、スクリーン１０は、調光シート１０Ａ，２０Ａと透明反射層１５との間に、紫外線カット層１４とは異なる粘着層を備えればよい。また、紫外線カット層１４は、透明反射層１５と透明基板１６との間に位置してもよい。この場合には、スクリーン１０は、調光シート１０Ａ，２０Ａと透明反射層１５との間に紫外線カット層１４とは異なる粘着層を備える一方で、紫外線カット層１４が、透明反射層１５を透明基板１６に粘着させる粘着層を兼ねてもよい。
【０１２０】
・スクリーン１０，２０は、紫外線カット層を有しなくてもよい。この場合であっても、スクリーン１０，２０において、平均拡散反射率、および、拡散反射率の少なくとも一方が、１０％以上２０％未満であれば、上述した（１）および（２）の少なくとも一方に準じた効果を得ることはできる。
【０１２１】
［可視光透過率］
・透明反射層１５の可視光透過率は５０％未満であってもよい。この場合であっても、不透明状態のスクリーン１０，２０において、平均拡散反射率、および、拡散反射率の少なくとも一方が、１０％以上２０％未満であれば、上述した（１）および（２）の少なくとも一方に準じた効果を得ることは可能である。
【０１２２】
［日射反射率］
・透明反射層１５の日射反射率が２０％よりも小さくてもよいし、４５％よりも大きくてもよい。この場合であっても、平均拡散反射率および拡散反射率の少なくとも一方が１０％以上２０％未満であれば、上述した（１）および（２）の少なくとも一方に準じた効果を得ることは可能である。
【０１２３】
［透明状態］
・調光シート１０Ａ，２０Ａが透明状態である場合に、スクリーン１０，２０のヘイズが１２．８％以下であること、および、スクリーン１０，２０の平行光線透過率が４２％以上であることの一方が満たされなくてもよい。この場合であっても、スクリーン１０，２０の平均拡散反射率および拡散反射率の少なくとも一方が１０％以上２０％未満であれば、上述した（１）および（２）の少なくとも一方に準じた効果を得ることは可能である。
【０１２４】
［不透明状態］
・調光シート１０Ａ，２０Ａが不透明状態である場合に、スクリーン１０，２０のヘイズが９８％以上であること、および、スクリーン１０，２０のクラリティが４２％以下であることの一方が満たされなくてもよい。この場合であっても、平均拡散反射率および拡散反射率の少なくとも一方が１０％以上２０％未満であれば、上述した（１）および（２）の少なくとも一方に準じた効果を得ることは可能である。
【０１２５】
［用途］
・スクリーン１０，２０は、間仕切りとして兼用することも可能である。この場合には、スクリーン１０，２０は、例えば、カーテン、ブラインド、および、障子などの代用品として用いられることが可能である。スクリーン１０，２０によれば、スクリーン１０，２０の使用される状態を以下のように変更することができる。例えば、スクリーンが透明状態であることによって、スクリーン１０，２０を介してスクリーン１０，２０によって間仕切りされた空間の内部を視認することが可能である。また、スクリーンが不透明状態であることによって、スクリーン１０，２０によって間仕切りされた空間を外部から隠蔽することが可能である。
【０１２６】
・スクリーン１０，２０は、平面状に限らず、曲面状を有してもよい。スクリーン１０，２０が曲面状を有する場合にも、本実施形態によるように、平均拡散反射率および拡散反射率が上述した範囲を満たすことによってスクリーン１０，２０におけるぎらつきが抑えられる。そのため、例えば、弧状を有した曲面スクリーンの投影面が、観察者を取り囲むように曲面スクリーンが配置された場合には、曲面スクリーンに投影された画像によって、観察者に高い没入感を感じさせることが可能である。
【符号の説明】
【０１２７】
１０，２０…スクリーン、１０Ａ，２０Ａ…調光シート、１０ＡＦ，２０ＡＦ…投影面、１０ＡＲ…裏面、１０Ｄ…駆動回路、１１…調光層、１１Ａ…ポリマーネットワーク、１１Ｂ…液晶組成物、１１ＢＬ…液晶分子、１１Ｄ…ドメイン、１２…透明電極層、１３…透明支持層、１４…紫外線カット層、１５…透明反射層、１６…透明基板、２１…配向層、３０，４０…測定装置、３１，４３…積分球、３２…検出部、４１…照射部、４１Ａ…光源、４１Ｂ…レンズ、４２…受光部、４２Ｃ…中央センサー、４２Ｒ…外周センサー、５１…観察対象、Ａ１…第１開口、Ａ２…第２開口、ＣＬ…対照光、ＬＮＳ…狭角散乱光、ＬＰ…平行光、ＬＳ…直進光、ＭＬ…測定光、ＯＢ…観察者、Ｐ…プロジェクター、Ｒ…標準白板、Ｓ…測定対象。
【要約】
【課題】外光の反射によるぎらつきを抑制可能としたスクリーンを提供する。
【解決手段】スクリーン１０は、投影面１０ＡＦと裏面１０ＡＲとを含み、透明状態と不透明状態とを有する調光シート１０Ａと、裏面１０ＡＲと対向する透明反射層１５とを備える。投影面１０ＡＦは、不透明状態において投影機から光を当てられる面である。投影面１０ＡＦに向けた可視域の光に対するスクリーン１０の拡散反射率の平均値が１０％以上２０％未満である状態を不透明状態に含む。
【選択図】図１【図１】
0006669300.tif 000010
【図２】
0006669300.tif 000011
【図３】
0006669300.tif 000012
【図４】
0006669300.tif 000013
【図５】
0006669300.tif 000014
【図６】
0006669300.tif 000015
【図７】
0006669300.tif 000016
【図８】
0006669300.tif 000017
【図９】
0006669300.tif 000018